(57)【要約】  通信を確実に確立する。第１通信装置および第２通信装置を備える通信システムであって、第１通信装置の送信部は、第１リンクアップコードを第２通信装置の受信部へと送信し、第２通信装置の送信部は、第２通信装置の受信部が第１通信装置の送信部との通信を確立したことに応じて第２リンクアップコードを第１リンクアップコードに代えて送信し、第１通信装置の受信部は、第２通信装置の送信部との通信を確立し且つ第２通信装置の送信部から第２リンクアップコードを受信したことに応じて、第２通信装置の送信部と通信を開始する、通信システムを提供する。
2012073393.tif 000002
【特許請求の範囲】
【請求項１】
第１通信装置および第２通信装置を備える通信システムであって、
前記第１通信装置および前記第２通信装置のそれぞれは、
相手方の通信装置へ信号を送信する送信部と、
相手方の通信装置から信号を受信する受信部と、
を有し、
前記第１通信装置の送信部は、通信を確立するための第１リンクアップコードを前記第２通信装置の受信部へと送信し、
前記第２通信装置の送信部は、前記第１リンクアップコードを前記第１通信装置の受信部へと送信し、
前記第２通信装置の受信部は、前記第１リンクアップコードを受信して前記第１通信装置の送信部との通信の確立処理を実行し、
前記第２通信装置の送信部は、前記第２通信装置の受信部が前記第１通信装置の送信部との通信を確立したことに応じて前記第１リンクアップコードとは異なるパターンであって通信を確立するための第２リンクアップコードを、前記第１リンクアップコードに代えて送信し、
前記第１通信装置の受信部は、前記第１リンクアップコードまたは前記第２リンクアップコードを受信して前記第２通信装置の送信部との通信の確立処理を実行し、
前記第１通信装置の受信部は、前記第２通信装置の送信部との通信を確立し且つ前記第２通信装置の送信部から前記第２リンクアップコードを受信したことに応じて、前記第２通信装置の送信部と通信を開始する
通信システム。
【請求項２】
前記第１通信装置の受信部は、前記第１リンクアップコードを受信して前記第２通信装置の送信部との通信の確立処理を実行し、
前記第１通信装置の送信部は、前記第１通信装置の受信部が前記第２通信装置の送信部との通信を確立したことに応じて前記第２リンクアップコードを、前記第１リンクアップコードに代えて送信し、
前記第２通信装置の受信部は、前記第１リンクアップコードまたは前記第２リンクアップコードを受信して前記第１通信装置の送信部との通信の確立処理を実行し、
前記第２通信装置の受信部は、前記第１通信装置の送信部との通信を確立し且つ前記第１通信装置の送信部から前記第２リンクアップコードを受信したことに応じて、前記第１通信装置の送信部と通信を開始する
請求項１に記載の通信システム。
【請求項３】
前記第１通信装置および前記第２通信装置のそれぞれの前記送信部は、前記相手方の通信装置へシリアル信号を送信し、
前記第１通信装置および前記第２通信装置のそれぞれの前記受信部は、前記相手方の通信装置からシリアル信号を受信する
請求項１または２に記載の通信システム。
【請求項４】
前記第１通信装置および前記第２通信装置のそれぞれの前記送信部は、通信を確立するためのパターンのコードの中に、相手方の通信装置に情報を送信するためのパターンのコードが挿入された前記第２リンクアップコードを送信する
請求項１から３の何れか１項に記載の通信システム。
【請求項５】
前記第１通信装置および前記第２通信装置のそれぞれの前記受信部は、前記相手方の通信装置の送信部と通信を確立した後、前記第２リンクアップコードを受信するまでの間、処理を待機し、前記第２リンクアップコードを受信したことに応じて前記相手方の通信装置の送信部の通信を開始する
請求項４に記載の通信システム。
【請求項６】
前記第１通信装置および前記第２通信装置のそれぞれの前記送信部は、前記第１リンクアップコードおよび前記第２リンクアップコードとして、受信側においてクロック再生処理およびワードアライメント処理が可能なコードを送信し、
前記第１通信装置および前記第２通信装置のそれぞれの前記受信部は、通信の確立処理として、少なくともクロック再生処理およびワードアライメント処理を実行する
請求項５に記載の通信システム。
【請求項７】
前記第１通信装置および前記第２通信装置のそれぞれの前記受信部は、電源がオンとなった後に前記第１リンクアップコードを送信する
請求項６に記載の通信システム。
【請求項８】
被試験デバイスを試験する試験装置であって、
被試験デバイスとの間で信号を伝送して前記被試験デバイスを試験する試験ユニットと、
前記試験ユニットを制御する制御装置と、
前記試験ユニットと前記制御装置との間の通信を中継する中継装置と、
を備え、
前記中継装置および前記試験ユニットのそれぞれは、
相手方の通信装置へ信号を送信する送信部と、
前記相手方の通信装置から信号を受信する受信部と、
を有し、
前記中継装置の送信部は、通信を確立するための第１リンクアップコードを前記試験ユニットの前記受信部へと送信し、
前記試験ユニットの送信部は、前記第１リンクアップコードを前記中継装置の受信部へと送信し、
前記試験ユニットの受信部は、前記第１リンクアップコードを受信して前記中継装置の送信部との通信の確立処理を実行し、
前記試験ユニットの送信部は、前記試験ユニットの前記受信部が前記中継装置の送信部との通信を確立したことに応じて前記第１リンクアップコードとは異なるパターンであって通信を確立するための第２リンクアップコードを、前記第１リンクアップコードに代えて送信し、
前記中継装置の受信部は、前記第１リンクアップコードまたは前記第２リンクアップコードを受信して前記試験ユニットの前記送信部との通信の確立処理を実行し、
前記中継装置の受信部は、前記試験ユニットの前記送信部との通信を確立し且つ前記試験ユニットの前記送信部から前記第２リンクアップコードを受信したことに応じて、前記試験ユニットの前記送信部と通信を開始する
試験装置。
【請求項９】
前記中継装置の受信部は、前記第１リンクアップコードを受信して前記試験ユニットの前記送信部との通信の確立処理を実行し、
前記中継装置の送信部は、前記中継装置の受信部が前記試験ユニットの前記送信部との通信を確立したことに応じて前記第２リンクアップコードを、前記第１リンクアップコードに代えて送信し、
前記試験ユニットの前記受信部は、前記第１リンクアップコードまたは前記第２リンクアップコードを受信して前記中継装置の送信部との通信の確立処理を実行し、
前記試験ユニットの前記受信部は、前記中継装置の送信部との通信を確立し且つ前記中継装置の送信部から前記第２リンクアップコードを受信したことに応じて、前記中継装置の送信部と通信を開始する
請求項８に記載の試験装置。
【発明の詳細な説明】
【技術分野】
【０００１】
本発明は、通信システムおよび試験装置に関する。
【背景技術】
【０００２】
シリアル信号の通信システムは、データの送受信に先立って、クロック再生処理およびワードアライメント処理等のリンクアップ処理を、上り回線および下り回線のそれぞれに対して実行する。より具体的には、一方の通信装置の送信モジュールがリンクアップ用の予め定められたデータを送信して、他方の通信装置の受信モジュールがリンクアップ処理を行う。
【発明の概要】
【発明が解決しようとする課題】
【０００３】
ところで、一方の通信装置の送信モジュールは、他方の通信装置の受信モジュールがリンクアップ処理を完了させたか否かを知ることができない。従って、一方の通信装置は、リンクアップ用のデータを送信してから、予め設定された時間経過した後に他方の通信装置がリンクアップ処理を完了したと判断して、リンクアップ用のデータの送信を停止する。しかし、２つの通信装置のそれぞれの電源オンのタイミングが大きくずれた場合、実際には予め設定された時間経過しても他方の通信装置のリンクアップ処理が完了していないことがあった。【０００４】
また、リンクアップ完了後に送受信する通常コードをリンクアップ処理が可能なデータパターンとしてもよい。これにより、予め設定された時間内にリンクアップ処理が完了しなかった場合であっても、通常コードによりいずれリンクアップ処理を完了させることができる。しかし、この場合、リンクアップ処理が完了する前に送信した通常コードが実行されないので、命令の取りこぼしが生じる可能性があった。
【課題を解決するための手段】
【０００５】
上記課題を解決するために、本発明の第１の態様においては、第１通信装置および第２通信装置を備える通信システムであって、前記第１通信装置および前記第２通信装置のそれぞれは、相手方の通信装置へ信号を送信する送信部と、相手方の通信装置から信号を受信する受信部と、を有し、前記第１通信装置の送信部は、通信を確立するための第１リンクアップコードを前記第２通信装置の受信部へと送信し、前記第２通信装置の送信部は、前記第１リンクアップコードを前記第１通信装置の受信部へと送信し、前記第２通信装置の受信部は、前記第１リンクアップコードを受信して前記第１通信装置の送信部との通信の確立処理を実行し、前記第２通信装置の送信部は、前記第２通信装置の受信部が前記第１通信装置の送信部との通信を確立したことに応じて前記第１リンクアップコードとは異なるパターンであって通信を確立するための第２リンクアップコードを、前記第１リンクアップコードに代えて送信し、前記第１通信装置の受信部は、前記第１リンクアップコードまたは前記第２リンクアップコードを受信して前記第２通信装置の送信部との通信の確立処理を実行し、前記第１通信装置の受信部は、前記第２通信装置の送信部との通信を確立し且つ前記第２通信装置の送信部から前記第２リンクアップコードを受信したことに応じて、前記第２通信装置の送信部と通信を開始する通信システムを提供する。【０００６】
本発明の第２の態様においては、被試験デバイスを試験する試験装置であって、被試験デバイスとの間で信号を伝送して前記被試験デバイスを試験する試験ユニットと、前記試験ユニットを制御する制御装置と、前記試験ユニットと前記制御装置との間の通信を中継する中継装置と、を備え、前記中継装置および前記試験ユニットのそれぞれは、相手方の通信装置へ信号を送信する送信部と、前記相手方の通信装置から信号を受信する受信部と、を有し、前記中継装置の送信部は、通信を確立するための第１リンクアップコードを前記試験ユニットの前記受信部へと送信し、前記試験ユニットの送信部は、前記第１リンクアップコードを前記中継装置の受信部へと送信し、前記試験ユニットの受信部は、前記第１リンクアップコードを受信して前記中継装置の送信部との通信の確立処理を実行し、前記試験ユニットの送信部は、前記試験ユニットの前記受信部が前記中継装置の送信部との通信を確立したことに応じて前記第１リンクアップコードとは異なるパターンであって通信を確立するための第２リンクアップコードを、前記第１リンクアップコードに代えて送信し、前記中継装置の受信部は、前記第１リンクアップコードまたは前記第２リンクアップコードを受信して前記試験ユニットの前記送信部との通信の確立処理を実行し、前記中継装置の受信部は、前記試験ユニットの前記送信部との通信を確立し且つ前記試験ユニットの前記送信部から前記第２リンクアップコードを受信したことに応じて、前記試験ユニットの前記送信部と通信を開始する試験装置を提供する。【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】本実施形態に係る試験装置１０の構成を示す。
【図２】試験ユニット１２および中継装置１６のそれぞれが有する通信装置２０の構成を示す。
【図３】第１の通信装置２０−１と第２の通信装置２０−２との間のリンクアップ処理のフローを示す。
【発明を実施するための形態】
【０００９】
以下、発明の実施の形態を通じて本発明を説明するが、以下の実施形態は請求の範囲にかかる発明を限定するものではない。また、実施形態の中で説明されている特徴の組み合わせの全てが発明の解決手段に必須であるとは限らない。
【００１０】
図１は、本実施形態に係る試験装置１０の構成を示す。試験装置１０は、半導体装置等の被試験デバイス（ＤＵＴ）を試験する。試験装置１０は、１または複数の試験ユニット１２と、制御装置１４と、中継装置１６とを備える。
【００１１】
各試験ユニット１２は、被試験デバイスとの間で信号を授受する。試験ユニット１２は、一例として、被試験デバイスに対して試験パターンに応じた波形の試験信号を供給して、被試験デバイスからの応答信号と期待値パターンに応じた論理値と比較して被試験デバイスの良否を判定する。
【００１２】
制御装置１４は、１または複数の試験ユニット１２のそれぞれに対してコマンドを与えて、各試験ユニット１２を制御する。制御装置１４は、一例として、プログラムを実行することにより当該制御装置１４として機能するコンピュータにより実現される。
【００１３】
中継装置１６は、制御装置１４と１または複数の試験ユニット１２とのそれぞれの間に伝送されるコマンドおよび応答を中継する。制御装置１４と中継装置１６との間は、イーサーネット等により接続される。中継装置１６と各試験ユニット１２との間は、シリアル信号が送受信される。
【００１４】
本実施形態において、中継装置１６と各試験ユニット１２との間で伝送されるシリアル信号は、８ｂ／１０ｂ（または１０ｂ／８ｂ）と呼ばれる高速シリアル転送規格に応じた信号である。このシリアル信号は、例えば、ＵＳＢ３．０、ＰＣＩＥｘｐｒｅｓ等の他の規格に応じた信号であってもよい。また、制御装置１４と中継装置１６との間も、同様のシリアル信号が送受信されてもよい。
【００１５】
図２は、試験ユニット１２および中継装置１６のそれぞれが有する通信装置２０の構成を示す。各試験ユニット１２は、中継装置１６とシリアル通信を行う通信装置２０を有する。また、中継装置１６は、１または複数の試験ユニット１２のそれぞれ毎に、対応する試験ユニット１２とシリアル通信を行う通信装置２０を有する。
【００１６】
１または複数の試験ユニット１２および中継装置１６のそれぞれが有する通信装置２０は、送信部３２と、受信部３４と、制御部３６とを含む。
【００１７】
送信部３２は、相手方の通信装置２０へ、８ｂ／１０ｂの規格に応じたシリアル信号を送信する。受信部３４は、相手方の通信装置２０から、８ｂ／１０ｂの規格に応じたシリアル信号を受信する。制御部３６は、送信部３２および受信部３４の送受信動作を制御する。
【００１８】
ここで、８ｂ／１０ｂ規格では、８ビットのデータを１０ビットのデータに変換して信号が送受信される。８ｂ／１０ｂ規格では、８ビットのデータから１０ビットのデータへの変換または逆変換がテーブルを参照して行われる。８ｂ／１０ｂ規格では、通常のデータ送受信時において相手方に情報を送信するための１０ビットのコードをＤコードと呼ぶ。
【００１９】
また、８ｂ／１０ｂ規格では、送受信するシリアル信号の中にクロックが埋め込まれる。従って、８ｂ／１０ｂ規格では、データ（Ｄコード）の送受信に先立って、送信部３２が予め定められた制御コードであるＫコードを送信し、受信部３４がクロック再生処理およびワードアライメント処理を実行する。
【００２０】
クロック再生処理は、シリアル信号からクロックを再生する処理である。ワードアライメント処理は、シリアル信号として送信されたデータ列から、ワードの切り出し位置を検出する処理である。例えば、受信部３４は、予め記憶しているデータパターンと、送信部３２から送信されたシリアル信号のデータ列とのマッチングを取ることにより、ワードアライメント処理を実行することができる。
【００２１】
なお、クロック再生処理およびワードアライメント処理を含めた通信の初期化時における処理をリンクアップ処理と呼ぶ。受信部３４は、このようなリンクアップ処理を実行することにより、送信部３２との通信を確立することができる。
【００２２】
図３は、第１の通信装置２０−１と第２の通信装置２０−２との間のリンクアップ処理のフローを示す。１つの試験ユニット１２と中継装置１６との間のリンクアップ処理のフローを示す。なお、１つの試験ユニット１２および中継装置１６のうちの一方が有する通信装置２０を、第１の通信装置２０−１と称し、他方が有する通信装置２０を第２の通信装置２０−２と称する。
【００２３】
まず、第１の通信装置２０−１の電源がオンとされる（Ｓ１００）。また、第２の通信装置２０−２も電源がオンとされる（Ｓ２００）。なお、第１の通信装置２０−１と第２の通信装置２０−２とは、異なるタイミングにおいて電源がオンとされてもよい。図３の例においては、第１の通信装置２０−１の電源がオンとなった後、一定時間経過後において第２の通信装置２０−２の電源がオンとなる。
【００２４】
第１の通信装置２０−１の送信部３２は、第１の通信装置２０−１の電源がオンとなった後に、通信を確立するための第１リンクアップコードを第２の通信装置２０−２の受信部３４へと送信する（Ｓ１１１）。第１リンクアップコードは、一例として、８ｂ／１０ｂ規格におけるＫコードである。この場合において、第１の通信装置２０−１の送信部３２は、第１リンクアップコードを繰り返して送信し続ける。
【００２５】
続いて、第２の通信装置２０−２の受信部３４は、第２の通信装置２０−２の電源がオンとなったことに応じて、第１の通信装置２０−１の送信部３２から送信された第１リンクアップコードを受信して、第１の通信装置２０−１の送信部３２との通信の確立処理を実行する。より具体的には、まず、第２の通信装置２０−２の受信部３４は、第１リンクアップコードを参照してクロック再生処理（クロックデータリカバリー：ＣＤＲ）を実行する（Ｓ２２１）。続いて、クロック再生処理が完了した後、第２の通信装置２０−２の受信部３４は、第１リンクアップコードを参照してワードアライメント処理を実行する（Ｓ２２２）。これにより、第２の通信装置２０−２の受信部３４は、第１の通信装置２０−１の送信部３２との間で通信を確立することができる。
【００２６】
続いて、第２の通信装置２０−２の受信部３４は、通信を確立したことを示す完了通知を第２の通信装置２０−２の送信部３２に供給する（Ｓ２２３）。そして、第２の通信装置２０−２の受信部３４は、第１の通信装置２０−１の送信部３２との間で通信を確立した後、まだ、第２リンクアップコードを受信していなければ、第１の通信装置２０−１の送信部３２から第２リンクアップコードが送信されるまでの間、処理を待機する（Ｓ２２４）。
【００２７】
第２の通信装置２０−２の送信部３２は、第２の通信装置２０−２の電源がオンとなった後、第１リンクアップコードを第１の通信装置２０−１の受信部３４へと送信する（Ｓ２１１）。この場合において、第２の通信装置２０−２の送信部３２は、第１リンクアップコードを繰り返して送信し続ける。
【００２８】
ここで、第２の通信装置２０−２の送信部３２は、第１リンクアップコードを繰り返して送信している場合において（Ｓ２１１）、第２の通信装置２０−２の受信部３４が第１の通信装置２０−１の送信部３２との通信を確立したことの通知を受けると、第２リンクアップコードを第１リンクアップコードに代えて送信する（Ｓ２１２）。この場合において、第２の通信装置２０−２の送信部３２は、第２リンクアップコードを繰り返して送信する。
【００２９】
第２リンクアップコードは、第１リンクアップコードとは異なるパターンであって通信を確立するためのコードである。より具体的には、第２リンクアップコードは、通信を確立するためのパターンのコードの中に、相手方の通信装置２０に情報を送信するためパターンのコードが挿入されたコードである。
【００３０】
第２リンクアップコードは、一例として、連続したＫコードのデータ列の中に、予め定められた割合でＤコードが含まれたコードである。これにより、受信部３４は、第２リンクアップコードを参照して、クロック再生処理およびワードアライメント処理を実行することができるとともに、第１リンクアップコードとは異なるパターンのデータを受信したことを認識することができる。
【００３１】
第１の通信装置２０−１の受信部３４は、第１の通信装置２０−１の電源がオンとなったことに応じて、第１リンクアップコードまたは第２リンクアップコードを受信して第２の通信装置２０−２の送信部３２との通信の確立処理を実行する。より具体的には、まず、第１の通信装置２０−１の受信部３４は、第１リンクアップコードまたは第２リンクアップコードを参照してクロック再生処理を実行する（Ｓ１２１）。続いて、クロック再生処理が完了した後、第１の通信装置２０−１の受信部３４は、第１リンクアップコードまたは第２リンクアップコードを参照してワードアライメント処理を実行する（Ｓ１２２）。これにより、第１の通信装置２０−１の受信部３４は、第２の通信装置２０−２の送信部３２との間で通信を確立することができる。
【００３２】
続いて、第１の通信装置２０−１の受信部３４は、第２の通信装置２０−２の送信部３２との間で通信を確立した後、通信を確立したことを示す完了通知を第１の通信装置２０−１の送信部３２に供給する（Ｓ１２３）。続いて、第１の通信装置２０−１の受信部３４は、第２の通信装置２０−２の送信部３２との間で通信を確立した後、まだ、第２リンクアップコードを受信していなければ、第２の通信装置２０−２の送信部３２から第２リンクアップコードが送信されるまで、処理を待機する（Ｓ１２４）。
【００３３】
続いて、第１の通信装置２０−１の受信部３４は、第２の通信装置２０−２の送信部３２から第２リンクアップコードを受信したことに応じて、第２リンクアップコードを受信したことを示す通知を第１の通信装置２０−１の送信部３２へ供給する。そして、第１の通信装置２０−１の受信部３４は、第２の通信装置２０−２の送信部３２との通信を確立し且つ第２の通信装置２０−２の送信部３２から第２リンクアップコードを受信したことに応じて、第２の通信装置２０−２の送信部３２と通信を開始する（Ｓ１２５）。
【００３４】
また、第１の通信装置２０−１の送信部３２は、第１リンクアップコードを繰り返して送信している場合において（Ｓ１１１）、第１の通信装置２０−１の受信部３４が第２の通信装置２０−２の送信部３２との通信を確立したことの通知を受けると、第２リンクアップコードを第１リンクアップコードに代えて送信する（Ｓ１１２）。この場合において、第１の通信装置２０−１の送信部３２は、第２リンクアップコードを繰り返して送信する。
【００３５】
そして、第１の通信装置２０−１の送信部３２は、第２リンクアップコードを繰り返して送信している場合において（Ｓ１１２）、第１の通信装置２０−１の受信部３４が第２の通信装置２０−２の送信部３２から第２リンクアップコードを受信したことの通知を受けると、以後、通常コードを第２の通信装置２０−２の受信部３４へと送信する（Ｓ１１３）。
【００３６】
また、第２の通信装置２０−２の受信部３４は、第１の通信装置２０−１の送信部３２から第２リンクアップコードを受信したことに応じて、第２リンクアップコードを受信したことを示す通知を第２の通信装置２０−２の送信部３２へ供給する。そして、第２の通信装置２０−２の受信部３４は、第１の通信装置２０−１の送信部３２との通信を確立し且つ第１の通信装置２０−１の送信部３２から第２リンクアップコードを受信したことに応じて、第１の通信装置２０−１の送信部３２と通信を開始する（Ｓ２２５）。
【００３７】
そして、第２の通信装置２０−２の送信部３２は、第２リンクアップコードを繰り返して送信している場合において（Ｓ２１２）、第２の通信装置２０−２の受信部３４が第１の通信装置２０−１の送信部３２から第２リンクアップコードを受信したことの通知を受けると、以後、通常コードを第１の通信装置２０−１の受信部３４へと送信する（Ｓ２１３）。
【００３８】
以上により、第１の通信装置２０−１および第２の通信装置２０−２は、互いに送信部３２から受信部３４へとシリアル信号を送信するためのリンクアップ処理を行うことができる。この場合において、送信部３２は、自己の通信装置２０の受信部３４が通信を確立した場合には、リンクアップコードの内容を変更して送信する。また、受信部３４は、リンクアップコードの内容が変更したことを検出した場合には、自己の通信装置２０の送信部３２にリンクアップコードの内容が変更したことを通知する。
【００３９】
これにより、第１の通信装置２０−１および第２の通信装置２０−２のそれぞれの送信部３２は、相手方の通信装置２０における受信部３４が通信を確立したことを認識することができる。従って、第１の通信装置２０−１および第２の通信装置２０−２は、通信の確立処理が確実に完了してから、通信を開始することができる。また、第１の通信装置２０−１および第２の通信装置２０−２は、通信の確立処理が確実に完了するまでの処理マージンを設けなくてよいので、短い時間で通信を開始することができる。また、第１の通信装置２０−１および第２の通信装置２０−２は、互いの電源の投入タイミングが異なっても、互いに同調して通信の確立処理を進めることができる。
【００４０】
また、第１の通信装置２０−１および第２の通信装置２０−２は、階層的に規定された複数のプロトコルを用いたシリアル通信を行う場合、それぞれの階層において以上の通信確立の処理を実行してもよい。これにより、第１の通信装置２０−１および第２の通信装置２０−２は、上り側回線および下り側回線を互いに同調させながら、下位階層から１階層ずつ順番に通信確立の処理を実行することができる。
【００４１】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、請求の範囲の記載から明らかである。
【００４２】
請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。
【符号の説明】
【００４３】
１０  試験装置
１２  試験ユニット
１４  制御装置
１６  中継装置
２０  通信装置
３２  送信部
３４  受信部
３６  制御部
【図１】
2012073393.tif 000003
【図２】
2012073393.tif 000004
【図３】
2012073393.tif 000005
【手続補正書】
【提出日】平成25年4月5日(2013.4.5)
【手続補正１】
【補正対象書類名】特許請求の範囲
【補正対象項目名】全文
【補正方法】変更
【補正の内容】
【特許請求の範囲】
【請求項１】
被試験デバイスを試験する試験装置であって、
被試験デバイスとの間で信号を伝送して前記被試験デバイスを試験する試験ユニットと、
前記試験ユニットを制御する制御装置と、
前記試験ユニットと前記制御装置との間の通信を中継する中継装置と、
を備え、
前記中継装置および前記試験ユニットのそれぞれは、
相手方の通信装置へ信号を送信する送信部と、
前記相手方の通信装置から信号を受信する受信部と、
を有し、
前記中継装置の送信部は、通信を確立するための第１リンクアップコードを前記試験ユニットの前記受信部へと送信し、
前記試験ユニットの送信部は、前記第１リンクアップコードを前記中継装置の受信部へと送信し、
前記試験ユニットの受信部は、前記第１リンクアップコードを受信して前記中継装置の送信部との通信の確立処理を実行し、
前記試験ユニットの送信部は、前記試験ユニットの前記受信部が前記中継装置の送信部との通信を確立したことに応じて前記第１リンクアップコードとは異なるパターンであって通信を確立するための第２リンクアップコードを、前記第１リンクアップコードに代えて送信し、
前記中継装置の受信部は、前記第１リンクアップコードまたは前記第２リンクアップコードを受信して前記試験ユニットの前記送信部との通信の確立処理を実行し、
前記中継装置の受信部は、前記試験ユニットの前記送信部との通信を確立し且つ前記試験ユニットの前記送信部から前記第２リンクアップコードを受信したことに応じて、前記試験ユニットの前記送信部と通信を開始する
試験装置。
【請求項２】
前記中継装置の受信部は、前記第１リンクアップコードを受信して前記試験ユニットの前記送信部との通信の確立処理を実行し、
前記中継装置の送信部は、前記中継装置の受信部が前記試験ユニットの前記送信部との通信を確立したことに応じて前記第２リンクアップコードを、前記第１リンクアップコードに代えて送信し、
前記試験ユニットの前記受信部は、前記第１リンクアップコードまたは前記第２リンクアップコードを受信して前記中継装置の送信部との通信の確立処理を実行し、
前記試験ユニットの前記受信部は、前記中継装置の送信部との通信を確立し且つ前記中継装置の送信部から前記第２リンクアップコードを受信したことに応じて、前記中継装置の送信部と通信を開始する
請求項１に記載の試験装置。
【請求項３】
前記中継装置および前記試験ユニットのそれぞれの前記送信部は、前記相手方の通信装置へシリアル信号を送信し、
前記中継装置および前記試験ユニットのそれぞれの前記受信部は、前記相手方の通信装置からシリアル信号を受信する
請求項１または２に記載の試験装置。
【請求項４】
前記中継装置および前記試験ユニットのそれぞれの前記送信部は、通信を確立するためのパターンのコードの中に、相手方の通信装置に情報を送信するためのパターンのコードが挿入された前記第２リンクアップコードを送信する
請求項１から３の何れか１項に記載の試験装置。
【請求項５】
前記中継装置および前記試験ユニットのそれぞれの前記受信部は、前記相手方の通信装置の送信部と通信を確立した後、前記第２リンクアップコードを受信するまでの間、処理を待機し、前記第２リンクアップコードを受信したことに応じて前記相手方の通信装置の送信部の通信を開始する
請求項４に記載の試験装置。
【請求項６】
前記中継装置および前記試験ユニットのそれぞれの前記送信部は、前記第１リンクアップコードおよび前記第２リンクアップコードとして、受信側においてクロック再生処理およびワードアライメント処理が可能なコードを送信し、
前記中継装置および前記試験ユニットのそれぞれの前記受信部は、通信の確立処理として、少なくともクロック再生処理およびワードアライメント処理を実行する
請求項５に記載の試験装置。
【請求項７】
前記中継装置および前記試験ユニットのそれぞれの前記受信部は、電源がオンとなった後に前記第１リンクアップコードを送信する
請求項６に記載の試験装置。
【国際調査報告】
2012073393.tif 000006
2012073393.tif 000007